(57)【要約】      （修正有）【課題】液晶表示パネルのバックライト用電源変圧器に保護用コンデンサを内蔵させて小型化を図った変圧器及びバックライト装置を提供する。【解決手段】バックライト装置は電源モジュール１０と、ランプ１２と、変圧器１４とを備えている。変圧器はボビン１４０と、一次巻線１４２と、二次巻線１４４と、第１の導電板と、第２の導電板とを備えている。ボビンは高圧側巻線部分と、ピンとを備えており、一次巻線は電源モジュールへの接続用とされ、二次巻線は高圧側巻線部分上に巻回されるとともに二次巻線の一端はピンに電気的に接続されている。ピンはバックライト装置のランプへの接続用とされる。高圧側巻線部分はセパレータを備えている。第１の導電板はセパレータ内に配設されるとともにピンに電気的に接続されている。第２の導電板はセパレータ内に配設されるとともに第１の導電板に対応して配置されている。これにより、第１の導電板と第２の導電板とでコンデンサを形成している。【選択図】図４
0003158242.tif 000002
【実用新案登録請求の範囲】
【請求項１】
バックライトモジュールに適用される変圧器であって、前記変圧器が、
その上に高圧側巻線部分と、第１のピンとを有するとともに、前記高圧側巻線部分は第１のセパレータを有しており、このうち前記第１のピンが前記バックライトモジュールの第１のランプへの接続用とされる、ボビンと、
前記高圧側巻線部分上に巻回されるともに一端が前記第１のピンに電気的に接続されている二次巻線と、
前記第１のセパレータ内に配設されるとともに前記第１のピンに電気的に接続されている第１の導電板と、
前記第１のセパレータ内に配設されるとともに前記第１の導電板に対応して配置されており、これにより前記第１の導電板とで第１のコンデンサを形成する第２の導電板と、を備えたことを特徴とする変圧器。
【請求項２】
前記ボビンが第２のピンをさらに備えており、前記第２の導電板が前記第２のピンに電気的に接続されるとともに前記第２のピンが前記バックライトモジュールにおける受動素子および保護フィードバック回路に接続されていることを特徴とする請求項１に記載の変圧器。
【請求項３】
第３の導電板と、第４の導電板とをさらに備えており、前記ボビンが第３のピンをまた備えており、前記第３のピンが前記二次巻線の他端に電気的に接続されるとともに前記バックライトモジュールの第２のランプへの接続用とされており、前記高圧側巻線部分が第２のセパレータをまた備えており、前記第３の導電板が前記第２のセパレータ内に配設されるとともに前記第３のピンに電気的に接続されており、前記第４の導電板が前記第２のセパレータ内に配設されるとともに前記第３の導電板に対応して配置されており、これにより前記第３の導電板と前記第４の導電板とで第２のコンデンサを形成することを特徴する請求項１に記載の変圧器。
【請求項４】
前記ボビンが第４のピンをさらに備えており、前記第４の導電板が前記第４のピンに電気的に接続されるとともに前記第４のピンが前記バックライトモジュールにおける受動素子および保護フィードバック回路に接続されていることを特徴とする請求項３に記載の変圧器。
【請求項５】
バックライトモジュールに適用される変圧器であって、前記変圧器が、
その上に第１の高圧側巻線部分と、第２の高圧側巻線部分と、第１のピンと、第２のピンとを有するとともに、前記第１の高圧側巻線部分は第１のセパレータを有しており、前記第２の高圧側巻線部分は第２のセパレータを有しており、このうち前記第１のピンが前記バックライトモジュールの第１のランプへの接続用とされ、第２のピンが前記バックライトモジュールの第２のランプへの接続用とされる、ボビンと、
前記第１の高圧側巻線部分上に巻回されるとともに一端が前記第１のピンに電気的に接続されている第１の二次巻線と、
前記第２の高圧側巻線部分上に巻回されるとともに一端が前記第２のピンに電気的に接続されている第２の二次巻線と、
前記第１のセパレータ内に配設されるとともに前記第１のピンに電気的に接続されている第１の導電板と、
前記第１のセパレータ内に配設されるとともに前記第１の導電板に対応して配置されており、これにより前記第１の導電板とで第１のコンデンサを形成する第２の導電板と、
前記第２のセパレータ内に配設されるとともに前記第２のピンに電気的に接続されている第３の導電板と、
前記第２のセパレータ内に配設されるとともに前記第３の導電板に対応して配置されており、これにより前記第３の導電板とで第２のコンデンサを形成する第４の導電板と、を備えたことを特徴とする変圧器。
【請求項６】
前記ボビンが第３のピンと第４のピンとをさらに備えており、前記第２の導電板が前記第３のピンに電気的に接続されるとともに前記第３のピンが前記バックライトモジュールにおける第１の受動素子および第１の保護フィードバック回路に接続されており、前記第４の導電板が前記第４のピンに電気的に接続されるとともに前記第４のピンが前記バックライトモジュールにおける第２の受動素子および第２の保護フィードバック回路に接続されていることを特徴とする請求項５に記載の変圧器。
【請求項７】
第５の導電板と、第６の導電板と、第７の導電板と、第８の導電板とをさらに備えており、前記ボビンが第３のピンと、第４のピンとをまた備えており、前記第３のピンが前記第１の二次巻線の他端に電気的に接続されるとともに前記バックライトモジュールの第３のランプへの接続用とされており、前記第４のピンが前記第２の二次巻線の他端に電気的に接続されるとともに前記バックライトモジュールの第４のランプへの接続用とされており、前記第１の高圧側巻線部分が第３のセパレータをまた備えており、前記第２の高圧側巻線部分が第４のセパレータをまた備えており、前記第５の導電板が前記第３のセパレータ内に配設されるとともに前記第３のピンに電気的に接続されており、前記第６の導電板が前記第３のセパレータ内に配設されるとともに前記第５の導電板に対応して配置されており、これにより前記第５の導電板と前記第６の導電板とで第３のコンデンサを形成し、前記第７の導電板が前記第４のセパレータ内に配設されるとともに前記第４のピンに電気的に接続されており、前記第８の導電板が前記第４のセパレータ内に配設されるとともに前記第７の導電板に対応して配置されており、これにより前記第８の導電板と前記第７の導電板とで第４のコンデンサを形成することを特徴とする請求項５に記載の変圧器。
【請求項８】
前記ボビンが第５のピンと、第６のピンとをさらに備えており、前記第６の導電板が前記第５のピンに電気的に接続されるとともに前記第５のピンが前記バックライトモジュールにおける第１の受動素子および第２の保護フィードバック回路に接続されており、前記第８の導電板が前記第６のピンに電気的に接続されるとともに前記第６の導電板が前記バックライトモジュールにおける第１の受動素子および第２の保護フィードバック回路に接続されていることを特徴とする請求項７に記載の変圧器。
【請求項９】
電源モジュールと、
第１のランプと、
変圧器と、を備えたバックライト装置であって、前記変圧器が、
その上に低圧側巻線部分と、高圧側巻線部分と、第１のピンとを有するとともに、前記高圧側巻線部分は第１のセパレータを有しており、このうち前記第１のピンが前記バックライトモジュールの第１のランプへの接続用とされる、ボビンと、
前記低圧側巻線部分上に巻回されるともに前記電源モジュールへの接続用とされる一次巻線と、
前記高圧側巻線部分上に巻回されるとともに一端が前記第１のピンに電気的に接続されている二次巻線と、
前記第１のセパレータ内に配設されるとともに前記第１のピンに電気的に接続されている第１の導電板と、
前記第１のセパレータ内に配設されるとともに前記第１の導電板に対応して配置されており、これにより前記第１の導電板とで第１のコンデンサを形成する第２の導電板と、を備えたことを特徴とするバックライト装置。
【請求項１０】
前記ボビンが第２のピンをさらに備えており、前記第２の導電板が前記第２のピンに電気的に接続されるとともに前記第２のピンが受動素子および保護フィードバック回路に接続されていることを特徴とする請求項９に記載のバックライト装置。
【請求項１１】
第２のランプをさらに備えており、前記変圧器が第３の導電板と、第４の導電板とをさらに備えており、前記ボビンが第３のピンをまた備えており、前記第３のピンが前記二次巻線の他端に電気的に接続されるとともに前記第２のランプへの接続用とされており、前記高圧側巻線部分が第２のセパレータをまた備えており、前記第３の導電板が前記第２のセパレータ内に配設されるとともに前記第３のピンに電気的に接続されており、前記第４の導電板が前記第２のセパレータ内に配設されるとともに前記第３の導電板に対応して配置されており、これにより前記第３の導電板と前記第４の導電板とで第２のコンデンサを形成することを特徴する請求項９に記載のバックライト装置。
【請求項１２】
前記ボビンが第４のピンをさらに備えており、前記第４の導電板が前記第４のピンに電気的に接続されるとともに前記第４のピンが受動素子および保護フィードバック回路に接続されていることを特徴とする請求項１１に記載のバックライト装置。
【請求項１３】
電源モジュールと、
第１のランプと、
第２のランプと、
変圧器と、を備えたバックライト装置であって、前記変圧器が、
その上に低圧側巻線部分と、第１の高圧側巻線部分と、第２の高圧側巻線部分と、第１のピンと、第２のピンとを有するとともに、前記第１の高圧側巻線部分は第１のセパレータを有しており、前記第２の高圧側巻線部分は第２のセパレータを有しており、このうち前記第１のピンが前記第１のランプへの接続用とされ、第２のピンが前記第２のランプへの接続用とされる、ボビンと、
前記低圧側巻線部分上に巻回されるとともに前記電源モジュールへの接続用とされる一次巻線と、
前記第１の高圧側巻線部分上に巻回されるとともに一端が前記第１のピンに電気的に接続されている第１の二次巻線と、
前記第２の高圧側巻線部分上に巻回されるとともに一端が前記第２のピンに電気的に接続されている第２の二次巻線と、
前記第１のセパレータ内に配設されるとともに前記第１のピンに電気的に接続されている第１の導電板と、
前記第１のセパレータ内に配設されるとともに前記第１の導電板に対応して配置されており、これにより前記第１の導電板とで第１のコンデンサを形成する第２の導電板と、
前記第２のセパレータ内に配設されるとともに前記第２のピンに電気的に接続されている第３の導電板と、
前記第２のセパレータ内に配設されるとともに前記第３の導電板に対応して配置されており、これにより前記第３の導電板とで第２のコンデンサを形成する第４の導電板と、を備えたことを特徴とするバックライト装置。
【請求項１４】
前記ボビンが第３のピンと第４のピンとをさらに備えており、前記第２の導電板が前記第３のピンに電気的に接続されるとともに前記第３のピンが第１の受動素子および第１の保護フィードバック回路に接続されており、前記第４の導電板が前記第４のピンに電気的に接続されるとともに前記第４のピンが第２の受動素子および第２の保護フィードバック回路に接続されていることを特徴とする請求項１３に記載のバックライト装置。
【請求項１５】
第３のランプと、第４のランプとをさらに備えており、前記変圧器が第５の導電板と、第６の導電板と、第７の導電板と、第８の導電板とをさらに備えており、前記ボビンが第３のピンと、第４のピンとをまた備えており、前記第３のピンが前記第１の二次巻線の他端に電気的に接続されるとともに前記第３のランプへの接続用とされており、前記第４のピンが前記第２の二次巻線の他端に電気的に接続されるとともに前記第４のランプへの接続用とされており、前記第１の高圧側巻線部分が第３のセパレータをまた備えており、前記第２の高圧側巻線部分が第４のセパレータをまた備えており、前記第５の導電板が前記第３のセパレータ内に配設されるとともに前記第３のピンに電気的に接続されており、前記第６の導電板が前記第３のセパレータ内に配設されるとともに前記第５の導電板に対応して配置されており、これにより前記第５の導電板と前記第６の導電板とで第３のコンデンサを形成し、前記第７の導電板が前記第４のセパレータ内に配設されるとともに前記第４のピンに電気的に接続されており、前記第８の導電板が前記第４のセパレータ内に配設されるとともに前記第７の導電板に対応して配置されており、これにより前記第８の導電板と前記第７の導電板とで第４のコンデンサを形成することを特徴とする請求項１３に記載のバックライト装置。
【請求項１６】
前記ボビンが第５のピンと、第６のピンとをさらに備えており、前記第６の導電板が前記第５のピンに電気的に接続されるとともに前記第５のピンが第１の受動素子および第１の保護フィードバック回路に接続されており、前記第８の導電板が前記第６のピンに電気的に接続されるとともに前記第６の導電板が前記バックライトモジュールにおける第２の受動素子および第２の保護フィードバック回路に接続されていることを特徴とする請求項１５に記載のバックライト装置。
【考案の詳細な説明】
【技術分野】
【０００１】
本考案は変圧器およびバックライト装置に関し、しかも特に保護用コンデンサが内蔵された変圧器、およびこの種の変圧器を採用したバックライト装置に関する。
【背景技術】
【０００２】
近年、液晶表示パネルが絶えず大型化しているのに伴い、冷陰極蛍光ランプ（Ｃｏｌｄ Ｃａｔｈｏｄｅ Ｆｌｕｏｒｅｓｃｅｎｔ Ｌａｍｐ、ＣＣＦＬ）を備えたバックライト装置が液晶表示パネルに必要な高品質の光源を提供するために広く用いられるようになっている。複数のランプを備えたバックライト装置におけるランプ明度は当該ランプに流れるランプ電流に関係するため、複数のランプを備えたバックライト装置が直面している難題として、如何にして各々のランプを流れる電流を概ね一致させることで各ランプ明度が不均一となる不具合を防止するか、そして複数のランプを備えたバックライト装置の回路にショートまたは断線などの異状が発生したときの回路保護機構を備えさせるかというものがある。
【０００３】
従来のバックライト装置では、その変圧器の高圧出力端が通常は回路基板上の高圧コンデンサに接続されており、この高圧コンデンサは変圧器の出力信号を調整することができる。また、高圧コンデンサはコンデンサまたは抵抗器を直列接続することで、分圧回路を形成して、保護配線を設計することができる。
【０００４】
図１を参照されたい。図１は従来技術におけるバックライト装置１の概略図である。図１に示すように、バックライト装置１は電源モジュール１０と、少なくとも一本のランプ１２と、変圧器１４とを備えており、ここでは一対一の変圧器１４およびランプ１２を例としている。
【０００５】
負荷（ランプ１２）を起動するために、変圧器１４は電源モジュール１０により駆動される。変圧器１４の高圧側はランプ１２および第２のコンデンサ１６に接続されている。コンデンサ１６はさらに他の受動素子１８（抵抗器またはコンデンサなどとすることができる）に直列接続されており、コンデンサ１６および受動素子１８で分圧回路を形成している。この分圧回路は保護フィードバック回路２０のフィードバック入力端としてもよい。
【０００６】
図２を合わせて参照されたい。図２は図１におけるバックライト装置１および変圧器１４を示す概略図である。図２に示すように、変圧器１４はボビン１４０と、一次巻線１４２と、二次巻線１４４とを備えている。一次巻線１４２は電源モジュール１０に接続されている。二次巻線１４４はボビン１４０の高圧側巻線部分１４０２上に巻回されるとともに、二次巻線１４４の一端はランプ１２およびコンデンサ１６に電気的に接続されている。コンデンサ１６、受動素子１８および保護フィードバック回路２０で従来の高圧静電分圧フィードバック回路構造を形成している。
【考案の概要】
【考案が解決しようとする課題】
【０００７】
図１に示すように、従来のバックライト装置には変圧器の出力端に対応したコンデンサが設けられる必要があり、もし変圧器が一対四の変圧器であった場合には、回路保護用として、少なくとも四個のコンデンサが同時に設けられる必要がある。しかしながら、製造工程の進歩に伴い、バックライト装置の回路がますます小型化しており、変圧器に対応させて回路基板上に大量のコンデンサを設けるということは、コンデンサの配設のコスト以外にも、回路設計中において空間配置でも難しくなる。
【０００８】
したがって、本考案の主旨は、上記問題を解決すべく、変圧器および当該変圧器を用いたバックライト装置を提供するところにある。
【課題を解決するための手段】
【０００９】
本考案の主旨は、第１のランプを備えたバックライトモジュールに適用されるものであり、ボビンと、二次巻線と、第１の導電板と、第２の導電板とを備えた変圧器を提供するところにある。
【００１０】
本考案に係る具体的な実施例においては、前記ボビンは高圧側巻線部分と、第１のピンとを備えており、二次巻線は高圧側巻線部分上に巻回されるとともに、二次巻線の一端は第１のピンに電気的に接続されている。第１のピンはバックライトモジュールの第１のランプへの接続用とされる。高圧側巻線部分は第１のセパレータを備えており、第１の導電板は第１のセパレータ内に配設されるとともに第１のピンに電気的に接続されている。第２の導電板は第１のセパレータ内に配設されるとともに前記第１の導電板に対応して配置されている。これにより、第１の導電板と第２の導電板とで第１のコンデンサを形成している。
【００１１】
本考案の主旨は、第１のランプと第２のランプとを備えたバックライトモジュールに適用されるものであり、ボビンと、第１の二次巻線と、第２の二次巻線と、第１の導電板と、第２の導電板と、第３の導電板と、第４の導電板とを備えた変圧器を提供するところにある。
【００１２】
本考案に係る具体的な実施例においては、前記ボビンは第１の高圧側巻線部分と、第２の高圧側巻線部分と、第１のピンと、第２のピンとを備えている。第１の二次巻線は第１の高圧側巻線部分上に巻回されるとともに、第１の二次巻線の一端は第１のピンに電気的に接続されている。第１のピンはバックライトモジュールの第１のランプへの接続用とされる。第２の二次巻線は第２の高圧側巻線部分上に巻回されるとともに、第２の二次巻線の一端は第２のピンに電気的に接続されている。第２のピンはバックライトモジュールの第２のランプへの接続用とされる。第１の高圧側巻線部分は第１のセパレータを備えており、第１の導電板は第１のセパレータ内に配設されるとともに第１のピンに電気的に接続されている。第２の導電板は第１のセパレータ内に配設されるとともに前記第１の導電板に対応して配置されている。これにより、第１の導電板と第２の導電板とで第１のコンデンサを形成している。第２の高圧側巻線部分は第２のセパレータを備えており、第３の導電板は第２のセパレータ内に配設されるとともに第２のピンに電気的に接続されている。第４の導電板は第２のセパレータ内に配設されるとともに前記第３の導電板に対応して配置されている。これにより、第３の導電板と第４の導電板とで第２のコンデンサを形成している。
【００１３】
本考案の他の主旨は、電源モジュールと、第１のランプと、変圧器とを備えたバックライト装置を提供するところにあり、前記変圧器はボビンと、一次巻線と、二次巻線と、第１の導電板と、第２の導電板とを備えている。
【００１４】
本考案に係る具体的な実施例においては、前記ボビンは低圧側巻線部分と、高圧側巻線部分と、第１のピンとを備えており、一次巻線は低圧側巻線部分上に巻回されるとともに、電源モジュールへの接続用とされ、二次巻線は高圧側巻線部分上に巻回されるとともに、二次巻線の一端は第１のピンに電気的に接続されている。第１のピンはバックライト装置の第１のランプへの接続用とされる。高圧側巻線部分は第１のセパレータを備えており、第１の導電板は第１のセパレータ内に配設されるとともに第１のピンに電気的に接続されている。第２の導電板は第１のセパレータ内に配設されるとともに前記第１の導電板に対応して配置されている。これにより、第１の導電板と第２の導電板とで第１のコンデンサを形成している。
【００１５】
本考案の主旨は、電源モジュールと、第１のランプと、第２のランプと、変圧器とを備えたバックライト装置を提供するところにあり、前記変圧器はボビンと、一次巻線と、第１の二次巻線と、第２の二次巻線と、第１の導電板と、第２の導電板と、第３の導電板と、第４の導電板とを備えている。
【００１６】
本考案に係る具体的な実施例においては、前記ボビンは低圧側巻線部分と、第１の高圧側巻線部分と、第２の高圧側巻線部分と、第１のピンと、第２のピンとを備えている。一次巻線は低圧側巻線部分上に巻回されるとともに、電源モジュールへの接続用とされる。第１の二次巻線は第１の高圧側巻線部分上に巻回されるとともに、第１の二次巻線の一端は第１のピンに電気的に接続されている。第１のピンはバックライト装置の第１のランプへの接続用とされる。第２の二次巻線は第２の高圧側巻線部分上に巻回されるとともに、第２の二次巻線の一端は第２のピンに電気的に接続されている。第２のピンはバックライト装置の第２のランプへの接続用とされる。第１の高圧側巻線部分は第１のセパレータを備えており、第１の導電板は第１のセパレータ内に配設されるとともに第１のピンに電気的に接続されている。第２の導電板は第１のセパレータ内に配設されるとともに前記第１の導電板に対応して配置されている。これにより、第１の導電板と第２の導電板とで第１のコンデンサを形成している。第２の高圧側巻線部分は第２のセパレータを備えており、第３の導電板は第２のセパレータ内に配設されるとともに第２のピンに電気的に接続されている。第４の導電板は第２のセパレータ内に配設されるとともに前記第３の導電板に対応して配置されている。これにより、第３の導電板と第４の導電板とで第２のコンデンサを形成している。
【考案の効果】
【００１７】
従来技術と比べるに、本考案の変圧器およびこの種の変圧器を採用したバックライト装置は、その中の変圧器のボビン内には、対向して配設されている二枚の導電板が少なくとも埋設されている。二枚の導電板は平行でかつ一定距離を隔てて対向して配設されることで、電荷を蓄積する効果を形成するとともに、変圧器の高圧側に接続されることで、バックライト装置回路の保護用コンデンサとして用いることができる。これにより、低コストで、全体の回路面積を節約できるバックライト装置を作製することができる。
【図面の簡単な説明】
【００１８】
【図１】従来技術におけるバックライト装置を示す概略図である。
【図２】図１におけるバックライト装置および変圧器を示す概略図である。
【図３】本考案に係る第１の具体的な実施例におけるバックライト装置およびバックライト装置に採用する変圧器を示す概略図である。
【図４】本考案に係る他の具体的な実施例におけるバックライト装置およびバックライト装置に採用する変圧器を示す概略図である。
【図５】本考案に係る第２の具体的な実施例におけるバックライト装置およびバックライト装置に採用する変圧器を示す概略図である。
【図６】本考案に係る第３の具体的な実施例におけるバックライト装置およびバックライト装置に採用する変圧器を示す概略図である。
【図７】本考案に係る第４の具体的な実施例におけるバックライト装置およびバックライト装置に採用する変圧器を示す概略図である。
【考案を実施するための形態】
【００１９】
図３を参照されたい。図３は本考案に係る第１の具体的な実施例におけるバックライト装置３およびバックライト装置３に採用する変圧器３４を示す概略図である。図３に示すように、バックライト装置３は電源モジュール３０と、ランプ３２と、変圧器３４とを備えている。変圧器３４はボビン（ｂｏｂｂｉｎ）３４０と、一次巻線（ｐｒｉｍａｒｙ ｗｉｎｄｉｎｇ）３４２と、二次巻線（ｓｅｃｏｎｄａｒｙ ｗｉｎｄｉｎｇ）３４４と、導電板Ｃ１と、導電板Ｃ２とを備えている。説明すべきは、本実施例における変圧器３４は特定のバックライト装置３の構造中に限定されるものではなく、変圧器３４は異なるバックライトモジュールに広く組み合わせるか、または各種の電子装置内にも応用することができるということである。
【００２０】
実際の応用においては、変圧器３４の主たる構造はボビン３４０であり、ボビン３４０の用途は巻線を支持するとともにコアを通過させやすくするところであり、ボビン３４０は絶縁性材質（ナイロンＮｙｌｏｎ、ポリエチレンテレフタレートＰＥＴ）からなる。ボビン３４０は通常セパレータで異なる巻線部分に分けている。
【００２１】
この実施例においては、ボビン３４０は低圧側巻線部分３４００と、高圧側巻線部分３４０２、ピンＰＩＮ１と、ピンＰＩＮ２とを備えている。一次巻線３４２は低圧側巻線部分３４００上に巻回されるとともに、電源モジュール３０に接続されている。二次巻線３４４は高圧側巻線部分３４０２上に巻回されるとともに、二次巻線３４４の一端はピンＰＩＮ１に電気的に接続されている。ピンＰＩＮ１はバックライト装置３のランプ３２に接続されている。
【００２２】
一次巻線３４２および二次巻線３４４の巻き数には一定の比率があり、電磁誘導の原理により、一次巻線３４２は電源モジュール３０により駆動され、同じ磁気ループ上にある二次巻線３４４に誘導出力が生じて、ランプ３２を起動する。つまり、この実施例における変圧器３４は単一の負荷を駆動可能な一対一の変圧器である。また、この実施例ではバックライト装置３が一対一の変圧器を単一個備えたものを例としているので、ランプ３２を対応するように駆動することができる。しかし実際の応用においては、バックライト装置は、より多くのランプを応用する場合に対応すべく、同時に複数の変圧器を備えてもよい。つまり、バックライト装置における変圧器の数は決して一個に限らないということは、当業者ならば熟知しているはずである。
【００２３】
図３に示すように、高圧側巻線部分３４０２はセパレータ３４０２１を備えている。導電板Ｃ１および導電板Ｃ２はセパレータ３４０２１内に配設されており、このうち導電板Ｃ１はピンＰＩＮ１に電気的に接続されるとともにランプ３２に接続される関係を形成している。導電板Ｃ２はピンＰＩＮ２に電気的に接続されている。
【００２４】
導電板Ｃ２が配設される位置は導電板Ｃ１に対応している。導電板Ｃ１および導電板Ｃ２はいずれも導電性材質であって、金属製導電板で形成することができる。互いに一定距離隔てるとともに誘電材料（セパレータ３４０２１）内に相対して配設されている二枚の金属製導電板（導電板Ｃ１および導電板Ｃ２）は電荷蓄積の原理により、導電板Ｃ１と導電板Ｃ２との間に等価的にコンデンサが形成される。
【００２５】
このコンデンサの静電容量値は導電板Ｃ１および導電板Ｃ２の規格により設計または調整することができる。同面積で平行した二枚の導電板で形成された平板型コンデンサを例とした場合、その静電容量値は、
0003158242.tif 000003
式中、ｅは誘電材料（セパレータ３４０２１）の誘電率、Ａは導電板の面積、ｄは二枚の導電板（導電板Ｃ１および導電板Ｃ２）の間の距離である。このように、変圧器３４の高圧側セパレータ内に埋設された二枚の導電板により内蔵型のコンデンサを形成することで、回路基板上に高圧コンデンサを別途配設するための空間および製造コストを節約することができる。
【００２６】
説明すべきは、第１の具体的な実施例においては、導電板Ｃ１および導電板Ｃ２が等価的に内蔵型のコンデンサを形成するとき、導電板Ｃ２に電気的に接続されるピンＰＩＮ２は未使用であるということである（図３に示す）。実際の応用においては、ピンＰＩＮ２は回路基板上の他の素子にさらに接続されて、例えば保護フィードバック機能用として、変圧器３４のその他応用における信号端としてもよい。
【００２７】
図４を参照されたい。図４は本考案に係る他の具体的な実施例におけるバックライト装置３’およびバックライト装置３’に採用する変圧器を示す概略図である。バックライト装置３’と第１の具体的な実施例との最大の相違点は、バックライト装置３’は、受動素子３６’と、保護フィードバック回路３８’とをさらに備えているところである。この実施例におけるピンＰＩＮ２’は未使用ではなく、受動素子３６’および保護フィードバック回路３８’に接続されている。図４に示すように、ピンＰＩＮ２’は受動素子３６’に電気的に接続されるとともに受動素子３６’を介してアース端に接続されている。保護フィードバック回路３８’はピンＰＩＮ２’と受動素子３６’との間に電気的に接続されている。
【００２８】
受動素子３６’は抵抗器、コンデンサまたはインダクタなどの受動素子とすることができる。ここにおける受動素子３６’は変圧器３４’内の導電板Ｃ１および導電板Ｃ２で形成された内蔵型のコンデンサに直列接続して、分圧回路を形成するためのものである。分圧回路の分圧出力は対向して埋設されている二枚の導電板の面積のサイズ、間隔距離を調整するか、または回路基板上の直列接続されている受動素子３６’のパラメータを直接調整することですでに設計されている。この分圧回路の分圧出力は保護フィードバック回路３８’の入力レベルにフィードバックすることで、変圧器回路を保護する効果を達成するためのものとすることができる。その原理は従来の高圧コンデンサ分圧フィードバック回路の構造に似ており、当業者が周知のであるため、ここでは別途説明を行わない。
【００２９】
ここにおけるバックライト装置３’は回路基板上に別途コンデンサを設ける必要はなく、変圧器３４’内に対向する二枚の金属板を埋設して、変圧器３４’内蔵型の高圧側保護コンデンサを形成するだけでよいということに注意されたい。これにより、回路設計上の全体的な配設空間を節約することができる。
【００３０】
図５を参照されたい。図５は本考案に係る第２の具体的な実施例におけるバックライト装置５およびバックライト装置５に採用する変圧器５４を示す概略図である。第１の具体的な実施例との相違点は、バックライト装置５は二本のランプ（ランプ５２ａ、ランプ５２ｂ）を同時に駆動するための一対二のバックライト装置である。バックライト装置５の変圧器５４は導電板Ｃ３と、導電板Ｃ４とをさらに備えており、つまり変圧器５４は、導電板Ｃ１と、導電板Ｃ２と、導電板Ｃ３と、導電板Ｃ４との合計四枚の導電板を備えている。図５に示すように、導電板Ｃ３および導電板Ｃ４は高圧側巻線部分５４０２のセパレータ５４０２２内に一対で埋設されている。
【００３１】
この実施例においては、ボビン５４０はピンＰＩＮ３と、ピンＰＩＮ４とを別途備えている。導電板Ｃ３はピンＰＩＮ３に電気的に接続されており、しかもピンＰＩＮ３は二次巻線５４４の他端に電気的に接続されるとともにランプ５２ｂに接続されている。導電板Ｃ４はピンＰＩＮ４に電気的に接続されるとともに、ピンＰＩＮ４は未使用であるか（図５に示すとおり）、または他の実施例におけるピンＰＩＮ４はフィードバック保護の分圧入力として、受動素子および保護フィードバック回路にさらに接続されており、その分圧回路の接続方式およびバックライト装置５内のその他構造は前出の実施例のものと似ているので、ここでは別途説明しない。
【００３２】
上記構造により、対向して配設されている導電板Ｃ３および導電板Ｃ４でコンデンサを形成している。つまり、変圧器５４の高圧側出力端は、導電板Ｃ１および導電板Ｃ２で形成されるコンデンサがランプ５２ａに対応可能である以外に、導電板Ｃ３および導電板Ｃ４で形成されるコンデンサもランプ５２ｂに対応可能である。これにより、保護コンデンサを内蔵した一対二の変圧器５４およびバックライト装置５を形成することができる。
【００３３】
図６を参照されたい。図６は本考案に係る第３の具体的な実施例におけるバックライト装置７およびバックライト装置７に採用する変圧器７４を示す概略図である。変圧器７４は二本のランプを同時に駆動するための一対二の変圧器である。
【００３４】
バックライト装置７は電源モジュール７０と、ランプ７２ａと、ランプ７２ｂと、変圧器７４とを備えている。変圧器７４はボビン７４０と、一次巻線７４２と、第１の二次巻線７４４と、第２の二次巻線７４６と、導電板Ｃ１と、導電板Ｃ２と、導電板Ｃ３と、導電板Ｃ４とを備えている。
【００３５】
この実施例においては、ボビン７４０は低圧側巻線部分７４００と、第１の高圧側巻線部分７４０２と、第２の高圧側巻線部分７４０４と、ピンＰＩＮ１と、ピンＰＩＮ２と、ピンＰＩＮ３と、ピンＰＩＮ４とを備えている。一次巻線７４２は低圧側巻線部分７４００上に巻回されるとともに電源モジュール７０に接続されている。
【００３６】
第１の二次巻線７４４ａが第１の高圧側巻線部分７４０２上に巻回されるとともに第１の二次巻線７４４の一端はピンＰＩＮ１に電気的に接続されている。ピンＰＩＮ１はバックライト装置７のランプ７２ａに接続されている。
【００３７】
第１の高圧側巻線部分７４０２はセパレータ７４０２１を備えている。導電板Ｃ１および導電板Ｃ２はセパレータ７４０２１内に配設されており、このうち導電板Ｃ１はピンＰＩＮ１に電気的に接続されるとともにランプ７２ａに接続される関係を形成している。導電板Ｃ２はピンＰＩＮ２に電気的に接続されている。導電板Ｃ２が配設される位置は導電板Ｃ１に対応している。導電板Ｃ１および導電板Ｃ２はいずれも金属製導電板で形成することができる。平板電荷蓄積の原理に基づき、導電板Ｃ１と導電板Ｃ２との間に等価的にコンデンサが形成される。
【００３８】
第２の二次巻線７４６は第２の高圧側巻線部分７４０４上に巻回されるとともに第２の二次巻線７４６の一端がピンＰＩＮ３に電気的に接続されている。ピンＰＩＮ３はバックライト装置７のランプ７２ｂに接続されている。
【００３９】
第２の高圧側巻線部分７４０４はセパレータ７４０４１を備えている。導電板Ｃ３および導電板Ｃ４はセパレータ７４０４１内に配設されており、このうち導電板Ｃ３はピンＰＩＮ３に電気的に接続されるとともにランプ７２ｂに接続される関係を形成している。導電板Ｃ４はピンＰＩＮ４に電気的に接続されている。導電板Ｃ４の配設位置は導電板Ｃ３に対応している。導電板Ｃ３および導電板Ｃ４はいずれも金属製導電板で形成することができる。平板電荷蓄積の原理に基づき、導電板Ｃ３と導電板Ｃ４との間にも等価的にコンデンサが形成される。
【００４０】
上記構造により、変圧器７４の高圧側出力端は、導電板Ｃ１および導電板Ｃ２で形成されランプ７２ａに対応可能なコンデンサと、導電板Ｃ３および導電板Ｃ４で形成されランプ７２ｂに対応可能なコンデンサを備えている。これにより、保護コンデンサを内蔵した一対二の変圧器７４およびバックライト装置７を形成することができる。
【００４１】
図７を参照されたい。図７は本考案に係る第４の具体的な実施例におけるバックライト装置９およびバックライト装置９に採用する変圧器９４を示す概略図である。第３の具体的な実施例と比べるに、変圧器９４は四本のランプ（ランプ９２ａ、ランプ９２ｂ、ランプ９２ｃ、ランプ９２ｄ）を同時に駆動するための一対四の変圧器である。
【００４２】
第３の具体的な実施例におけるバックライト装置７と比べるに、この実施例のバックライト装置９における変圧器９４は導電板Ｃ５と、導電板Ｃ６と、導電板Ｃ７と、導電板Ｃ８とを備えており、つまり、変圧器９４は合計八枚の導電板を備えている。図７に示すように、導電板Ｃ５および導電板Ｃ６は第１の高圧側巻線部分９４０２のセパレータ９４０２２内に一対で埋設されており、導電板Ｃ７および導電板Ｃ８は第２の高圧側巻線部分９４０４のセパレータ９４０４２内に一対で埋設されている。バックライト装置９におけるその他の対応する回路構造は前出の実施例のものと似ているので、ここでは別途説明しない。
【００４３】
この実施例においては、対向して配設されている導電板Ｃ５および導電板Ｃ６でランプ９２ｃに対応可能なコンデンサを形成し、対向して配設されている導電板Ｃ７および導電板Ｃ８でランプ９２ｄに対応可能なコンデンサを形成している。つまり、変圧器９４の高圧側出力端は、一対の導電板（導電板Ｃ１とＣ２、導電板Ｃ３とＣ４、導電板Ｃ５とＣ６、導電板Ｃ７とＣ８）四組が、四つの回路負荷（ランプ９２ａ、ランプ９２ｂ、ランプ９２ｃ、ランプ９２ｄ）に対応して四つのコンデンサをそれぞれ形成している。これにより、保護コンデンサを内蔵した一対四の変圧器９４およびバックライト装置９を形成することができる。
【００４４】
従来技術と比べるに、本考案の変圧器およびこの種の変圧器を採用したバックライト装置は、その中の変圧器のボビン内には、対向して配設されている二枚の導電板が少なくとも埋設されている。二枚の導電板は平行でかつ一定距離を隔てて対向して配設されることで、電荷を蓄積する効果を形成するとともに、変圧器の高圧側に接続されることで、バックライト装置回路の保護用コンデンサとして用いることができる。これにより、低コストで、全体の回路面積を節約できるバックライト装置を作製することができる。
【００４５】
上記具体的な実施例の詳細な記述により、本考案の特徴および技術的思想がより明確になることを希望するが、上記にて開示した好ましい実施例により本考案の範囲が限定されるものではない。反対に、各種変更および等価性のアレンジが、請求する実用新案登録請求の範囲に含まれるよう希望するところを目的とするものである。したがって、本考案が請求する実用新案登録請求の範囲は上記の説明に基づき最も広く解釈されて、可能である変更および等価性のアレンジが含まれるべきである。
【符号の説明】
【００４６】
１、３、３’、５、７、９  バックライト装置
１０、３０、３０’、５０、７０、９０          電源モジュール
１２、３２、３２’、５２ａ、５２ｂ、７２ａ、７２ｂ    ランプ
９２ａ、９２ｂ、９２ｃ、９２ｄ            ランプ
１４、３４、３４’、５４、７４、９４          変圧器
１６            コンデンサ
１８、３６’        受動素子
２０、３８’        保護フィードバック回路
１４０、３４０、３４０’、５４０、７４０、９４０    ボビン
３４００、３４００’、５４００、７４００、９４００    低圧側巻線部分
１４０２、３４０２、３４０２’、５４０２        高圧側巻線部分
７４０２、９４０２    第１の高圧側巻線部分
７４０４、９４０４    第２の高圧側巻線部分
１４２、３４２、３４２’、５４２、７４２、９４２    一次巻線
１４４、３４４、３４４’、５４４            二次巻線
７４４、９４４        第１の二次巻線
７４６、９４６        第２の二次巻線
３４０２１、３４０２１’、５４０２１、５４０２２、７４０２１、７４０４１              セパレータ
９４０２１、９４０２２、９４０４１、９４０４２    セパレータ
ＰＩＮ１〜ＰＩＮ８    ピン
Ｃ１〜Ｃ８        導電板
ＰＩＮ１’、ＰＩＮ２’    ピン
Ｃ１’、Ｃ２’        導電板
【図１】
0003158242.tif 000004
【図２】
0003158242.tif 000005
【図３】
0003158242.tif 000006
【図４】
0003158242.tif 000007
【図５】
0003158242.tif 000008
【図６】
0003158242.tif 000009
【図７】
0003158242.tif 000010
【手続補正書】
【提出日】平成22年1月14日(2010.1.14)
【手続補正１】
【補正対象書類名】実用新案登録請求の範囲
【補正対象項目名】請求項９
【補正方法】変更
【補正の内容】
【請求項９】
電源モジュールと、
第１のランプと、
変圧器と、を備えたバックライト装置であって、前記変圧器が、
その上に低圧側巻線部分と、高圧側巻線部分と、第１のピンとを有するとともに、前記高圧側巻線部分は第１のセパレータを有しており、このうち前記第１のピンがバックライトモジュールの第１のランプへの接続用とされる、ボビンと、
前記低圧側巻線部分上に巻回されるともに前記電源モジュールへの接続用とされる一次巻線と、
前記高圧側巻線部分上に巻回されるとともに一端が前記第１のピンに電気的に接続されている二次巻線と、
前記第１のセパレータ内に配設されるとともに前記第１のピンに電気的に接続されている第１の導電板と、
前記第１のセパレータ内に配設されるとともに前記第１の導電板に対応して配置されており、これにより前記第１の導電板とで第１のコンデンサを形成する第２の導電板と、を備えたことを特徴とするバックライト装置。